(57)【要約】【課題】  粘着性物品を分散供給する。【解決手段】  上部から物品が供給される容器２の底面に複数の物品排出口４ａ、４ｂが間隔をあけて配列されている。物品排出口４ａ、４ｂの配列方向に沿って、物品掃き取り具６ａ、６が配置されている。物品掃き取り具６ａ、６ｂは容器２の底面に先端部がほぼ接しながら移動可能に設けられている。物品掃き取り具６ａ、６ｂを物品排出口４ａ、４ｂの配列方向に沿ってモータ３０が移動させる。【選択図】        図１
2005320103.tif 000002
【特許請求の範囲】
【請求項１】
底面に間隔をあけて配列された複数の物品排出口を有し、上部から物品が供給される容器と、
前記物品排出口の配列方向に沿って、前記底面に先端部がほぼ接しながら移動可能に前記容器に設けられた物品掃き取り手段と、
前記物品掃き取り手段を前記配列方向に沿って移動させる駆動手段とを、
具備する組合せ秤用物品分散装置。
【請求項２】
請求項１記載の組合せ秤用物品分散装置において、前記容器は、その平面形状がほぼ長方形状に形成され、前記物品排出口が前記長方形の長辺方向に沿って配列され、前記駆動手段が、前記掃き取り手段を前記長辺方向に沿って往復移動させる組合せ秤用物品分散装置。
【請求項３】
請求項２記載の組合せ秤用物品分散装置において、前記容器の両端面は、中心が前記容器の内側にそれぞれ位置する同一半径の円弧状面に形成され、前記掃き取り手段が前記端面付近にある状態において前記中心付近に回転中心を有し、かつ互いに所定の角度をなす２つの掃き取り板を前記掃き取り手段が有し、前記２つの掃き取り板が移動する際、移動方向の前方側にある掃き取り板の先端部が前記底面との間に間隔を有し、後方側にある掃き取り板が前記底面にほぼ垂直に位置する組合せ秤用物品分散装置。
【請求項４】
請求項３記載の組合せ秤用物品分散装置において、前記２枚の掃き取り板が前記両端面のうち一方に到達したとき、前記２つの掃き取り板のうち今まで前記底面との間に間隔を有していた掃き取り板が前記底面とほぼ垂直となるように回転し、今までと反対方向に移動する組合せ秤用物品分散装置。
【請求項５】
請求項４記載の組合せ秤用物品分散装置において、前記２枚の掃き取り板が、前記長方形の長さ方向に間隔を隔てて複数組設けられている組合せ秤用物品分散装置。
【請求項６】
請求項１記載の組合せ秤用物品分散装置において、前記容器は円環状に形成され、前記物品排出口は、前記円環状の容器の底面に、その周方向に沿って形成され、前記駆動手段が、前記物品掃き取り手段を前記周方向に沿って回転させる組合せ秤用物品分散供給装置。
【請求項７】
請求項１記載の組合せ秤用物品分散装置において、
前記各物品排出口の下方に間隔を空けて配置された基板と、
この基板上に配置され、下部が開口し、内部に前記物品排出口から物品が供給される枠状体と、
この枠状体を前記基板の外方に駆動する枠状体駆動手段とを、
具備する組合せ秤用物品分散装置。
【請求項８】
請求項７記載の組合せ秤用物品分散装置において、前記基板の外方に駆動された前記枠状体の下方に計量装置を有する組合せ秤用物品分散装置。
【発明の詳細な説明】
【技術分野】
【０００１】
本発明は、組合せ秤における物品供給ホッパや計量ホッパ等の物品収容手段に、物品を分散して供給する物品分散装置に関する。
【背景技術】
【０００２】
組合せ秤の物品分散装置の一例が、例えば特許文献１に開示されている。この物品分散装置は、組合せ秤を構成する機器が並列に配置されている場合に対応するもので、複数の振動フィーダが、組合せ秤構成機器に対応して並列に配置され、これら振動フィーダに対して共通に供給された物品を、各振動フィーダが個別に振動して、組合せ秤構成機器に物品を供給する。なお、特許文献１には、その従来技術として、組合せ秤の構成機器が環状に配置されている場合には、振動フィーダを環状に配置するものも開示されている。
【０００３】
【特許文献１】実公昭６３−４９６９７号公報
【発明の開示】
【発明が解決しようとする課題】
【０００４】
上述したような振動フィーダを用いた技術は、比較的滑りやすかったり、転がりやすかったりする物品に対しては有効である。しかし、組合せ秤に供給する必要のある物品としては、例えばきざみ漬け物や佃煮昆布のような粘着性があり、振動フィーダによって振動を加えても分離することが困難な物品もある。従って、このような物品を分散供給するには、上記特許文献１の分散装置は、不適切であった。
【０００５】
本発明は、粘着性がある物品を分散供給することができる組合せ秤用分散供給装置を提供することを目的とする。
【課題を解決するための手段】
【０００６】
本発明による組合せ秤の物品分散供給装置の一態様は、容器を備えている。この容器は、底面に間隔をあけて配列された複数の物品排出口を有し、上部から物品が供給されるものである。この容器としては、後述するように平面形状が長方形状のものや、平面形状が円環状のものを使用することができる。この容器に物品掃き取り手段が設けられている。この物品掃き取り手段は、物品排出口の配列方向に沿って、容器の底面に先端部がほぼ接しながら移動可能である。前記物品掃き取り手段を前記配列方向に沿って駆動手段が移動させる。駆動手段としては、上記容器が長方形状のものの場合、その長さ方向に沿って物品掃き取り手段を移動させるもの、上記容器が円環状のものの場合、その円環状に沿って物品掃き取り手段を旋回させるものを使用することができる。各物品排出口から組合せ秤の構成機器、例えば供給ホッパや計量ホッパに物品が供給される。
【０００７】
このように構成した物品分散供給装置では、物品掃き取り手段によって、物品が各物品排出口に送られ、各物品排出口から下方に分散供給される。このように物品掃き取り手段によって物品排出口から物品が分散供給されるので、絡みやすい物品であっても、容易に分散供給することができる。
【０００８】
前記容器は、その平面形状がほぼ長方形状に形成されたものとすることができる。この場合、前記物品排出口が前記長方形の長辺方向に沿って配列される。また、前記駆動手段が、前記掃き取り手段を前記長辺方向に沿って往復移動させる。
【０００９】
このように構成した物品分散供給装置では、物品掃き取り手段が往復運動するので、物品掃き取り手段が往行する際と、復行する際との両方で物品排出口に物品が供給されるので、効率的に物品の分散供給を行うことができる。
【００１０】
更に、前記容器の両端面を、中心が前記容器の内側にそれぞれ位置する同一半径の円弧状面に形成することができる。この場合、前記掃き取り手段が前記端面付近にある状態において前記中心付近に回転中心を有し、かつ互いに所定の角度をなす２つの掃き取り板を前記掃き取り手段が有している。前記２つの掃き取り板が移動する際、移動方向の前方側にある掃き取り板の先端部が前記底面との間に間隔を有し、後方側にある掃き取り板が前記底面にほぼ垂直に位置する。
【００１１】
このように構成すると、前方にある掃き取り板が物品を或る程度均し、均された物品を後方にある底面に垂直な物品掃き取り板が物品排出口に送り込むので、効率的に物品を物品排出口から送り出せる。
【００１２】
更に、前記２枚の掃き取り板が前記両端面のうち一方に到達したとき、前記２つの掃き取り板のうち今まで前記底面との間に間隔を有していた掃き取り板が前記底面とほぼ垂直となるように回転し、今までと反対方向に移動する。このように構成すると、往復共に、物品の均しと物品排出口への送り込みとが行われ、更に効率的に物品を物品排出口から送り出せる。もし、１つの掃き取り板のみを設けた場合、掃き取り板が容器の端面側に到達したときに物品が掃き取り板の往行方向側に残っていた場合、掃き取り板を復行させたとき、往行方向側の物品はそのまま残存し、物品排出口に送り込まれることはない。しかし、２枚の掃き取り板を用い、復行する前に２枚の掃き取り板を回転させ、復行側前方の掃き取り板を底面との間に間隔を有し、復行側後方の掃き取り板を底面に対して垂直な状態として掃き取り板を移動させると、残存していた物品も垂直な掃き取り板によって移送されるので、この間に物品排出口に送り込まれ、物品が残存することを防止できる。
【００１３】
更に、前記２枚の掃き取り板を、前記長方形の長さ方向に間隔を隔てて複数組設けることもできる。このように構成すると、複数の物品排出口に同時に物品を送り込むことができる。
【００１４】
上述した態様の物品分散供給装置において、前記容器を円環状に形成することができる。この場合、前記物品排出口は、前記円環状の容器の底面に、その周方向に沿って形成され、前記駆動手段が、前記物品掃き取り手段を前記周方向に沿って回転させる。このように構成すると、組合せ秤の構成機器が環状に配置されている場合にも、絡まりやすい物品を分散供給することができる。
【００１５】
また、上述した態様の物品分散供給装置において、前記物品排出口の下方に間隔を空けて基板を配置し、この基板上に枠状体を配置し、この枠状体の下部を開口し、枠状体の内部に前記物品排出口から物品を供給する。この枠状体を前記基板の外方に枠状体駆動手段が駆動する。このように構成すると、枠状体の容積によって決まる定容積の物品を供給することができる。
【００１６】
さらに、前記基板の外方に駆動された前記枠状体の下方に計量装置を備えることもできる。即ち、枠状体を供給ホッパの代わりとして使用することもできる。
【発明の効果】
【００１７】
以上のように、本発明によれば、振動を与えただけでは分散させにくい物品であっても、分散させて組合せ秤に供給することができる。
【発明を実施するための最良の形態】
【００１８】
本発明の第１の実施形態の組合せ秤用物品分散装置は、図１（ａ）、（ｂ）に示すように、容器２を有している。この容器２は、図１（ａ）に示すように平面形状が長方形状のもので、同図（ｂ）に示すように、容器２の両端面は、同一の円弧面２ａ、２ｂに形成されている。これら円弧面は、容器２の内部側にそれぞれ中心を有している。
【００１９】
容器２の底面２ｃには、その長さ方向に沿って複数、例えば５個ずつ合計１０個の物品排出口４ａ、４ｂが形成されている。これら物品排出口４ａ、４ｂは、いずれも同一の大きさで底面２ｃの両長手縁に跨って形成されている。図３（ａ）乃至（ｆ）に示すように、円弧面２ａに近い位置から５つの物品排出口４ａが、いずれも等間隔に円弧面２ｂ側に向かって形成されている。同様に、円弧面２ｂに近い位置から５つの物品排出口４ｂが、いずれも等間隔に円弧面２ａ側に向かって形成されている。
【００２０】
物品排出口４ａの容器２の最も中心側にあるものと、物品排出口４ｂの容器２の最も中心側にあるものとの間が物品供給部とされ、ここに供給コンベヤ５によって物品が供給される。この物品の供給の開始は、検出手段、例えば反射型レベル検出器７によって物品供給部に物品が存在していないことが検出されたときに供給コンベヤ５を運転することによって行われる。また、例えば反射型レベル検出器７によって所定の高さまで物品が供給されたことが検出されたときに、供給コンベヤ５を停止させることによって物品の供給は停止される。或いは、供給コンベヤ５が予め定めた時間運転されたとき、供給コンベヤ５を停止させて物品の供給を停止させる。なお、物品としては、粘着性があり、かつ絡み易い性質を持つもの、例えばきざみ漬け物や佃煮昆布が使用される。
【００２１】
容器２に、複数組、例えば２組の物品掃き取り手段、例えば物品掃き取り具６ａ、６ｂが容器２の長手方向に間隔をあけて配置されている。物品掃き取り具６ａ、６ｂは、図３（ａ）乃至（ｆ）に示すように、それぞれ２枚の掃き取り板８ａ、１０ａ、８ｂ、１０ｂを有している。掃き取り板８ａ、１０ａ、８ｂ、１０ｂは、柔軟性と弾性とを備えた材料、例えばゴム製である。掃き取り板８ａ、１０ａは、それらの一端部が、円弧面２ａの中心に位置している。そして、掃き取り板８ａの他端部が円弧面２ａの先端部に位置し、掃き取り板１０ａの他端部が円弧面２ａと平坦な底面２ｃとの境界部に位置し、この状態において掃き取り板１０ａは、平坦な底面２ｃにほぼ垂直に位置している。このように掃き取り板８ａ、１０ａは、互いに予め定めた角度をなし、それらの他端部は、ほぼ円弧面２ａ及び底面２ｃに接している。これら掃き取り板８ａ、１０ａは、図１（ａ）に示すように、容器２の長手縁間に跨る幅寸法を有している。この物品掃き取り具６ａを容器２の長手方向に沿って所定距離だけ円弧面２ｂ側に寄せた状態で物品掃き取り具６ｂが配置されている。掃き取り板８ａに掃き取り板８ｂが対応し、掃き取り板１０ａに掃き取り板１０ｂが対応する。
【００２２】
掃き取り板８ａ、１０ａは、それらの一端部に形成した回転軸１２ａに結合され、同様に掃き取り板８ｂ、１０ｂもそれらの一端部に形成した回転軸１２ｂに結合されている。上述したように、掃き取り板８ａ、１０ａの一端部が、円弧面２ａの中心に位置し、掃き取り板８ａの他端部が円弧面２ａの先端部に位置し、掃き取り板１０ａの他端部が円弧面２ａと平坦な底面２ｃとの境界部に位置し、回転軸１２ａ、１２ｂが掃き取り板８ａ、１０ａの一端部に位置するので、掃き取り板８ａ、１０ａの回転半径は、円弧面２ａの半径と一致している。これら回転軸１２ａ、１２ｂは、容器２の長手方向の外側に形成した台車フレーム１４ａ、１４ｂに回転自在に支持されている。従って、掃き取り板８ａ、１０ａは回転軸１２ａの回りに回転自在であり、掃き取り板８ｂ、１０ｂは回転軸１２ｂの回りに回転自在である。
【００２３】
これら台車フレーム１４ａ、１４ｂには、それぞれローラ１６ａ、１６ｂが容器２ａの長手方向にほぼ垂直に外側に向かって突出するように設けられている。これらローラ１６ａ、１６ｂは、容器２の長手方向に沿って配置したレール１８ａ、１８ｂ上に配置されている。従って、掃き取り板８ａ、１０ａ、８ｂ、１０ｂは、容器２の長手方向に沿って移動可能である。
【００２４】
回転軸１２ａ、１２ｂの一端部には、リンク２０ａ、２０ｂの一端がピン結合され、これらリンク２０ａ、２０ｂが常に平行となるようにリンク２０ａの中途とリンク２０ｂの他端との間にリンク２０ｃがピン結合されている。従って、回転軸１２ａ、１２ｂは、平行リンク機構によって結合され、リンク２０ａの他端を回転させることによって、掃き取り板８ａ、１０ａを回転させると、これに同期して掃き取り板８ｂ、１０ｂも回転する。
【００２５】
リンク２０ａの他端部には、別のリンク２２の一端部がリンク結合されている。このリンク２２の他端部は、ヒンジ金具２４を介してタイミングベルト２６に取り付けられている。タイミングベルト２６は、容器２の長手方向に沿って間隔を隔てて配置したプーリ２８ａ、２８ｂ間に張架され、プーリ２８ａがモータ３０によって正転または逆転させられ、図１（ｂ）に矢印で示すように容器２の長手方向に沿って前進したり、矢印と反対方向に後退したりする。
【００２６】
タイミングベルト２６が矢印方向に駆動されたとする。このとき、台車フレーム１４ａ、１４ｂに適当な抵抗があると、リンク２０ａが回転軸１２ａの回りに回転し、破線で示す位置まで回転する。このとき、リンク２０ａが図示していないストッパに接触し、リンク２０ａの回転が停止する。その後、タイミングベルト２６の走行に従って、台車フレーム１４ａ、１４ｂ等が円弧面２ｂ側に走行する。リンク２０ａの回転に従って掃き取り板８ａが円弧面２ａに沿って回転し、底面２ｃにほぼ垂直な状態となり、掃き取り板１０ａがその先端部が底面２ｃとの間に間隔をあけた円弧面２ｂ側に跳ね上げられた状態となる。掃き取り板８ｂ、１０ｂも同様である。そして、これらの状態で、円弧面２ｂ側に移動し、跳ね上げられた掃き取り板１０ｂの先端部が円弧面２ｂの先端側に到達した状態で、停止する。そして、モータ３０が逆転し、タイミングベルト２６が矢印と反対方向に移動し、リンク２０ａが回転し、ストッパによって停止され、タイミングベルト２６の走行に従って、台車フレーム１４ａ、１４ｂ等が円弧面２ａ側に走行する。リンク２０ａの回転に従って掃き取り板８ｂが円弧面２ｂに沿って回転し、底面２ｃにほぼ垂直な状態となり、掃き取り板１０ｂがその先端部が底面２ｃとの間に間隔をあけた円弧面２ａ側に跳ね上げられた状態となる。掃き取り板８ａ、１０ａも同様である。そして、これらの状態で、円弧面２ａ側に移動し、跳ね上げられた掃き取り板１０ａの先端部が円弧面２ａの先端側に到達した状態で、停止する。このように掃き取り板８ａ、１０ａ、８ｂ、１０ｂの回転と移動とが、リンク機構、タイミングベルト２６、モータ３０等からなる１つの駆動手段によって行われている。
【００２７】
このように構成された物品分散装置では、例えば図３（ａ）に示すように物品掃き取り具６ａが円弧面２ａ側にあり、物品３２が物品供給部に供給されている状態にあるとする。この状態において、上述したように掃き取り板８ａ、１０ａ、８ｂ、１０ｂが回転し、同図（ｂ）に示すように掃き取り板８ａ、８ｂが底面に垂直な状態となる。この状態では、掃き取り板１０ｂの回転によって物品３２の一部が均されている。この状態から物品掃き取り具６ａ、６ｂが、円弧面２ｂ側に向かって移動し、この間に垂直である掃き取り板８ｂが物品排出口４ｂから下部に物品を主に掃き落とす。
【００２８】
このようにして同図（ｃ）に示すように掃き取り板１０ｂの先端が円弧面２ｃの先端に位置する状態となる。このとき、掃き残された物品３２ａ、３２ｂが掃き取り板８ａ、８ｂの円弧面２ｂ側に存在している。そして、物品供給部に物品が存在していないと、供給コンベヤ５から新たに物品３４が供給される。そして、同図（ｄ）に示すように掃き取り板１０ａ、１０ｂが底面に垂直になるように掃き取り板８ａ、１０ａ、８ｂ、１０ｂが回転する。このとき、円弧面２ｂの半径と掃き取り板１０ｂの回転半径が等しいので、掃き残っていた物品３２ｂは、掃き取り板８ｂによって掃き取り可能な状態になる。また、掃き残り物品３２ａは、新たに供給され掃き取り板８ａによって一部がならされた物品３４と集合する。この状態で掃き取り具６ａ、６ｂが円弧面２ａ側に移動し、この移動の間に、掃き取り板１０ａによって物品３２ａ、３４とが物品排出口４ａに掃き落とされる。また、掃き残りの物品３２ｂは掃き取り板１０ｂによって物品排出口４ｂに掃き落とされる。そして、同図（ｅ）に示すように、掃き取り板８ａの先端が円弧面２ａの先端に位置する状態で停止する。そして新たに物品３６が供給される。このとき、掃き残りの物品３４ａ、３４ｂが掃き取り板１０ａ、１０ｂに接触している。同図（ｆ）に示すように再び掃き取り板８ａ、１０ａ、８ｂ、１０ｂが回転し、円弧面２ｂ側に掃き取り具６ａ、６ｂが移動する。このとき、掃き残りの物品３４ｂと新たに供給された物品は、掃き取り板８ｂによって物品排出口４ｂから掃き落とされ、掃き残りの物品３４ａが掃き取り板８ａによって物品排出口４ａから掃き落とされる。以下、同様に動作する。
【００２９】
各物品排出口４ａ、４ｂの下方には図２（ａ）、（ｂ）に示すように、容器２の長手方向にほぼ垂直に一列に配置されたスクリューフィーダ３８の物品供給口があり、ここからスクリューフィーダ３８に物品が供給される。これらスクリューフィーダ３８の物品供給口の下方には、組合せ秤の物品収容槽、例えば供給ホッパ４０がそれぞれ配置されている。これら供給ホッパ４０の下方には、計量手段、例えばロードセル４２を備えた計量器、例えば計量ホッパ４４が配置されている。また、各計量ホッパ４４の下方には、計量ホッパ４４から排出された物品を集合させるための集合コンベヤ４６ａ、４６ｂが配置され、集合コンベヤの終端部には、集合ホッパ４８が配置され、これを介して図示していない包装機等に物品が供給される。組合せ秤の構成及び動作は公知であるので、これ以上の説明は省略する。
【００３０】
ところで、組合せ秤の計量ホッパ４４のいずれが選ばれて、物品を集合コンベヤ４６ａ、４６ｂに排出するかは不定であるので、各供給ホッパ４０を介して各計量ホッパ４４に物品を供給するスクリューフィーダ３８は、物品が満杯なものと、空のものが不規則に存在する。しかし、この分散供給装置では、或るスクリューフィーダ３８が満杯の状態で、それに対応する物品排出口４ａまたは４ｂ上を掃き取り板８ａ、１０ａ、８ｂ、１０ｂのいずれかが通過しても、物品が供給されることはなく、掃き取り板８ａ、１０ａ、８ｂ、１０ｂは、その物品排出口４ａまたは４ｂ上を単に通過していくだけである。従って、物品に対して無理な力が加わることがなく、物品を損傷することがない。
【００３１】
第１の実施形態の分散供給装置では、物品掃き取り具６ａ、６ｂの間隔は、物品排出口４ａの端から端、または物品排出口４ｂの端から端までとしたが、これに限ったものではなく、適当な個数の物品排出口の端から端までとすることができる。また２つの物品掃き取り具６ａ、６ｂを設けたが、２つに限ったものではなく、３つ以上であってもよいし、図４に示すように物品掃き取り具６ａのみを設けることもできる。図４の場合でも、物品掃き取り具６ａが円弧面２ａ、２ｂ間を往復することによって物品排出口４ａ、４ｂから物品を掃き落とす。但し、掃き取り具６ａのストロークが第１の実施の形態の場合よりも長くなるが、供給コンベヤ５からの物品供給部を広くとることができ、かつ物品供給部の位置は円弧面２ａ、２ｂ間の任意の位置とすることもできる。従って、小型の組合せ秤に、この分散供給装置は適している。なお、上記の実施の形態では、掃き取り板８ａ、１０ａ、８ｂ、１０ｂの回転と移動とを、１つのモータ３０によって行ったが、回転用と移動用とに別個のモータを使用することもできる。
【００３２】
第２の実施の形態の分散供給装置を図５、図６に示す。この分散供給装置は、組合せ秤の構成要素、即ち、供給ホッパや計量ホッパが円形に配列されている場合に適するものである。この分散供給装置は、環状、例えば円環状の容器５０を有している。即ち、この容器５０は、同心状に配置された２つの側壁５０ａ、５０ｂとこれらの間を繋ぐ底面５０ｃとを有している。底面５０ｃには、複数の物品排出口５２が形成されている。物品排出口５２は、容器５０の底面５０ｃに沿って所定角度、例えば３６度ごとに、所定個数、例えば１０個形成されている。これら物品排出口５２は、側壁５０ａ、５０ｂ間に跨って形成されている。
【００３３】
これら物品排出口５２の下方に物品搬送手段、例えばスクリューフィーダ５４が配置されている。これらスクリューフィーダ５４は、環状に配置されている。これらスクリューフィーダ５４から、環状に配置された組合せ秤の構成機器、例えば供給ホッパ５６に物品が供給される。即ち、各供給ホッパ５６は、スクリューフィーダ５４の物品供給口から、物品の供給を受ける。この物品は、各供給ホッパ５６の下方に配置された計量ホッパ５８が空のときに、当該計量ホッパ５８に供給される。
【００３４】
容器５０内には、複数、例えば２つの物品掃き取り具６０ａ、６０ｂが、所定の角度、例えば１８０度を隔てて配置されている。これら物品掃き取り具６０ａ、６０ｂは、底面５０ｃにほぼ垂直に配置され、かつ側壁５０ａ、５０ｂに跨るように容器５０の半径方向に沿って配置されている板状体であり、例えば第１実施形態の物品掃き取り板と同様に例えばゴム製である。これら掃き取り具６０ａ、６０ｂの上端は、連結腕６２によって結合されている。この連結腕６２の中央には、駆動手段としてのモータ６４が結合され、このモータ６４の回転に従って掃き取り具６０ａ、６０ｂが容器５０の底面に沿って回転し、容器５０内に供給された物品を各物品排出口５２から下方のスクリューフィーダ５４に掃き落とす。無論、スクリューフィーダ５４が満杯の場合には、満杯のスクリューフィーダ５４には物品を掃き落とさずに、その満杯のスクリューフィーダ５４上の物品排出口５２上を物品が通過する。
【００３５】
この実施の形態では、２つの物品掃き取り板６０ａ、６０ｂを設けたが、物品掃き取り板の数は２に限ったものではなく、最低限度１つだけもよいし、３以上の物品掃き取り板を所定の角度ごとに設けることもできる。
【００３６】
上記の２つの実施形態では、物品排出口に掃き落とされた物品をスクリューフィーダを使用して、組合せ秤の供給ホッパに供給したが、スクリューフィーダに限ったものではない。例えば、上述したようなきざみ漬け物や塩昆布よりも粘着性や絡み性が低い物品の場合には、図７（ａ）、（ｂ）に示すような供給装置をスクリューフィーダに代えて使用することもできる。
【００３７】
例えば容器２または５０の物品排出口４ａ、４ｂまたは５２の下方には、升状体７０が配置されている。この升状体７０は、基板７２の上部に配置され、上下がそれぞれ開口された物品投入部７０ａを有し、これに連ねて物品排出口４ａ、４ｂまたは５２を閉塞可能な閉塞部７０ｂを有している。この閉塞部７０ｂに、駆動部７４が結合されている。この駆動部７４の駆動によって、図７（ａ）に示すように物品投入部７０ａが物品排出口４ａ、４ｂまたは５２の下方に位置する状態と、図７（ｂ）に示すように物品投入部７０ａが基板７２の側方に突出されて供給ホッパ４０または５６の上方に位置し、かつ物品排出口４ａ、４ｂまたは５２が閉塞部７０ｂによって閉塞された状態とを、選択的にとることができる。
【００３８】
従って、図７（ａ）に示す状態において物品排出口４ａ、４ｂまたは５２から物品投入部７０ａに物品が投入される。物品投入部７０が満杯の状態では、それ以上に物品は供給されない。そして、対応する供給ホッパ４０または５６に物品を供給する必要が生じると、駆動部７４によって図７（ｂ）に示す状態とされ、供給ホッパ４０または５６に投入部７０ａ内の物品が供給される。このとき、物品排出口４ａ、４ｂまたは５２は閉塞部７０ｂによって閉塞されているので、物品が物品排出口４ａ、４ｂまたは５２から下方に供給されることはない。なお、組合せ秤の計量速度が低くてもよい場合には、供給ホッパ４０または５６を省略して、升状体７０から直接に計量装置である計量ホッパに物品を供給することもできる。
【図面の簡単な説明】
【００３９】
【図１】本発明の第１実施形態の分散供給装置の平面図及び側面図である。
【図２】図１の分散供給装置を実施した組合せ秤の部分破断側面図及び正面図である。
【図３】図１の分散供給装置の動作説明図である。
【図４】図１の分散供給装置の変形例の動作説明図である。
【図５】本発明の第２の実施形態の分散供給装置の平面図である。
【図６】図５の分散供給装置を実施した組合せ秤の側面図である。
【図７】図１及び図５の分散供給装置と共に使用する物品供給装置の動作説明図である。
【符号の説明】
【００４０】
２  ５０  容器
２ｃ  ５０ｃ  底面
４ａ  ４ｂ  ５２  物品排出口
６ａ  ６ｂ  ６０ａ  ６０ｂ  物品掃き取り具
３０  ６４  モータ（駆動手段）
【図１】
2005320103.tif 000003
【図２】
2005320103.tif 000004
【図３】
2005320103.tif 000005
【図４】
2005320103.tif 000006
【図５】
2005320103.tif 000007
【図６】
2005320103.tif 000008
【図７】
2005320103.tif 000009